(57)【要約】【課題】電極温度の調整が比較的容易で、電極先端の突起が過度に成長することを防止できる放電灯の駆動方法及び装置を提供すること。【解決手段】点灯装置７０ａ及び制御装置７０ｂが、少なくとも一方の第１電極１５が陽極として動作する期間内に、補修波形ＭＷの電流を供給する。ここで、補修波形ＭＷは、上昇部ＷＰ１と、最大部ＷＰ２と、降下部ＷＰ３とを時系列的に並べたものであり、一方の第１電極１５が陽極の際に比較的緩やかに電流が増減変化するので、一方の第１電極１５の先端部１５ａが過度に成長することを防止しつつ、一方の第１電極１５の先端側を平滑化してフリッカの原因となる凹凸の発生を抑制できる。【選択図】図１
2009146735.tif 000002
【特許請求の範囲】
【請求項１】
第１電極及び第２電極間に交流電流を供給し放電させることによって発光を生じさせる、放電灯の駆動方法であって、
前記第１電極及び前記第２電極のうち少なくとも一方の電極が陽極として動作する少なくとも１つの期間内に、電流値が上昇する上昇部と、前記上昇部の後において電流値が最大値となる最大部と、前記最大部の後において電流値が降下する降下部とを有する補修波形の電流を供給する、放電灯の駆動方法。
【請求項２】
前記補修波形の電流は、前記少なくとも一方の電極の動作が異常である電極異常時に供給される、請求項１に記載の放電灯の駆動方法。
【請求項３】
前記補修波形の電流は、前記第１電極及び前記第２電極間の放電による発光に際して定期的に供給される、請求項１に記載の放電灯の駆動方法。
【請求項４】
前記補修波形の電流は、前記第１電極及び前記第２電極間の放電による発光の開始時及び終了時の少なくとも一方に際して供給される、請求項１に記載の放電灯の駆動方法。
【請求項５】
前記補修波形の電流は、前記第１電極及び前記第２電極に定常的エネルギーを供給する定常動作中に供給される、請求項１から請求項４までのいずれか一項に記載の放電灯の駆動方法。
【請求項６】
前記補修波形の電流が供給される補修駆動の際の前記少なくとも一方の電極の先端部の最大温度は、前記補修波形が供給されない通常駆動の際の前記少なくとも一方の電極の先端部の最大温度よりも高い、請求項１から請求項５までのいずれか一項に記載の放電灯の駆動方法。
【請求項７】
第１電極及び第２電極間に交流電流を供給し放電させることによって放電灯を発光させる駆動装置であって、
前記第１電極及び前記第２電極のうち少なくとも一方の電極が陽極として動作する少なくとも１つの期間内に、電流値が上昇する上昇部と、前記上昇部の後において電流値が最大値となる最大部と、前記最大部の後において電流値が降下する降下部とを有する補修波形の電流を供給する電流駆動回路を備える、駆動装置。
【請求項８】
請求項７に記載の駆動装置と、前記駆動装置に駆動されて発光する前記放電灯とを有する光源装置と、
前記光源装置からの照明光によって照明される光変調装置と、
前記光変調装置によって形成された像を投射する投射光学系と、
を備えるプロジェクタ。
【発明の詳細な説明】
【技術分野】
【０００１】
本発明は、一対の電極を有する放電灯の駆動方法、駆動装置、及び、かかる放電灯を組み込んだ光源を備えるプロジェクタに関する。
【背景技術】
【０００２】
プロジェクタ等の光源装置に組み込まれる高圧放電灯の電極は、点灯時間とともに消耗するため、アークの長さや位置が変化し、輝度変化の原因となるフリッカが発生する。これを解決するために、高圧放電灯に供給される矩形波のランプ電流に対してパルス電流を重畳し、放電を安定化させ、フリッカを抑制する技術が知られている（特許文献１参照）。
【特許文献１】米国特許第５６０８２９４号公報
【発明の開示】
【発明が解決しようとする課題】
【０００３】
しかし、上記のようにパルス電流を重畳してフリッカを抑制する方法を用いると、電極先端の突起部が過度に成長してしまう傾向があり、電極消耗の程度が少ない比較的初期の段階において、電圧の過剰な低下を招き、発光量の低下や駆動装置の負担増を誘発するという問題がある。
【０００４】
そこで、本発明は、フリッカを抑制し、かつ電極先端の突起部が過度に成長することを防止できる放電灯の駆動方法及び装置を提供することを目的とする。
【０００５】
また、本発明は、電極先端の突起部が過度に成長することを防止した放電灯を組み込んだプロジェクタを提供することを目的とする。
【課題を解決するための手段】
【０００６】
上記課題を解決するために、本発明に係る放電灯の駆動方法は、第１電極及び第２電極間に交流電流を供給し放電させることによって発光を生じさせる放電灯の駆動方法であって、第１電極及び第２電極のうち少なくとも一方の電極が陽極として動作する少なくとも１つの期間内に、電流値が上昇する上昇部と、上昇部の後において電流値が最大値となる最大部と、最大部の後において電流値が降下する降下部とを有する補修波形の電流を供給する。
【０００７】
上記放電灯の駆動方法では、少なくとも一方の電極が陽極として動作する少なくとも１つの期間内に補修波形の電流を供給する。ここで、補修波形は、電流値が上昇する上昇部と、上昇部の後において電流値が最大値となる最大部と、最大部の後において電流値が降下する降下部とを有しており、一方の電極が陽極の際に、電流上昇時には電極の温度が増大することによって、フリッカ等の原因となる凹凸の発生を抑制しつつ、電流降下時には電極の温度が降下することによって、電極先端部が過度に成長する事を防止する事ができる。
【０００８】
また、本発明の具体的な態様又は観点では、上記駆動方法において、補修波形の電流が、少なくとも一方の電極の動作が異常である電極異常時に供給される。この場合、補修波形の電流によって、電極異常時に対応する電極の先端側を必要に応じて平滑化するので、フリッカ等の電極異常の発生を効率的に防止できる。
【０００９】
本発明の別の態様では、光源装置において、補修波形の電流が、第１電極及び第２電極間の放電による発光に際して定期的に供給される。この場合、補修波形の電流によって、第１電極や第２電極の先端側を定期的に平滑化して凹凸の発生を抑制できるので、フリッカ等の発生を未然に防止できる。
【００１０】
本発明のさらに別の態様では、補修波形の電流が、第１電極及び第２電極間の放電による発光の開始時及び終了時の少なくとも一方に際して供給される。この場合、補修波形の電流によって、第１電極や第２電極の先端側を発光の開始時又は終了時に平滑化して凹凸の発生を抑制できるので、通常の動作の妨げになりにくい状態でフリッカ等の発生を未然に防止できる。
【００１１】
本発明のさらに別の態様では、補修波形の電流が、第１電極及び第２電極に定常的エネルギーを供給する定常動作中に供給される。この場合、第１電極及び第２電極が適度に加熱され安定して動作している状態で補修波形の電流を供給することになり、定常動作時のフリッカ抑制と電極先端部の過度の成長防止を実現できる。
【００１２】
本発明のさらに別の態様では、補修波形の電流が供給される補修駆動の際の少なくとも一方の電極の先端部の最大温度は、補修波形が供給されない通常駆動の際の少なくとも一方の電極の先端部の最大温度よりも高い。この場合、一方の電極の先端側を確実に加熱することができ、定常動作時のフリッカ抑制と電極先端部の過度の成長防止を実現できる。
【００１３】
本発明に係る駆動装置は、第１電極及び第２電極間に交流電流を供給し放電させることによって放電灯を発光させる駆動装置であって、第１電極及び第２電極のうち少なくとも一方の電極が陽極として動作する少なくとも１つの期間内に、電流値が上昇する上昇部と、上昇部の後において電流値が最大値となる最大部と、最大部の後において電流値が降下する降下部とを有する補修波形の電流を供給する電流駆動回路を備える。
【００１４】
上記駆動装置では、電流駆動回路が、少なくとも一方の電極が陽極として動作する少なくとも１つの期間内に、補修波形の電流を供給する。ここで、補修波形は、電流値が上昇する上昇部と、上昇部の後において電流値が最大値となる最大部と、最大部の後において電流値が降下する降下部とを有しており、一方の電極が陽極の際に、電流上昇時には電極の温度が増大することによって、フリッカ等の原因となる凹凸の発生を抑制しつつ、電流降下時には電極の温度が降下することによって、電極先端部が過度に成長する事を防止する事ができる。
【００１５】
本発明に係る放電灯のプロジェクタは、（ａ）上述の駆動装置と、当該駆動装置に駆動されて発光する放電灯とを有する光源装置と、（ｂ）光源装置からの照明光によって照明される光変調装置と、（ｃ）光変調装置によって形成された像を投射する投射光学系とを備える。
【００１６】
上記プロジェクタでは、上述の駆動装置を有する光源装置を用いているので、光源装置を構成する一方の電極の先端に突起する先端部が過度に成長することを防止しつつ、一方の電極の先端側を平滑化してフリッカ等の原因となる凹凸の発生を抑制できる。これにより、プロジェクタの投射輝度を保持することができる。
【発明を実施するための最良の形態】
【００１７】
〔第１実施形態〕
以下、図面を参照して、本発明の第１実施形態である放電灯の駆動方法、駆動装置等について説明する。
【００１８】
図１は、放電灯及びその駆動装置を組み込んだ光源装置１００の構造を概念的に説明する断面図である。光源装置１００において、光源ユニット１０は、放電灯すなわち放電ランプとして、放電発光型の発光管１と、楕円面型の主反射鏡であるリフレクタ２と、球面型の副反射鏡である副鏡３とを備える。また、駆動装置７０は、詳細は後述するが、光源ユニット１０に交流電流を供給して所望の状態で発光させるための電気回路である。
【００１９】
光源ユニット１０において、発光管１は、中央部が球状に膨出した透光性の石英ガラス管で構成され、照明用の光を放射する封体である本体部分１１と、この本体部分１１の両端を通る軸線に沿って延びる第１及び第２封止部１３，１４とを備える。
【００２０】
本体部分１１内に形成される放電空間１２には、タングステン製の第１電極１５の先端部分と、同様にタングステン製の第２電極１６の先端部分とが所定距離で離間配置されており、希ガス、金属ハロゲン化合物等を含む放電媒体であるガスが封入されている。この本体部分１１の両端に延びる各封止部１３，１４の内部には、本体部分１１に設けた第１及び第２電極１５，１６の根元部分に対し電気的に接続されるモリブデン製の金属箔１７ａ，１７ｂが挿入され、両封止部１３，１４は、それ自体或いはガラス材料等によって外部に対して気密に封止されている。これらの金属箔１７ａ，１７ｂに接続されたリード線１８ａ，１８ｂに対して駆動装置７０により交流パルス状の電力を供給すると、一対の電極１５，１６間でアーク放電が生じ、本体部分１１が高輝度で発光する。
【００２１】
副鏡３は、発光管１の本体部分１１のうち、第２電極１６がある光束射出前方側の略半分を近接して覆っている。この副鏡３は、石英ガラス製の一体成形品であり、発光管１の本体部分１１から前方に放射された光束を本体部分１１に戻す副反射部３ａと、この副反射部３ａの根元部を支持した状態で第２封止部１４の周囲に固定される支持部３ｂとを備える。支持部３ｂは、第２封止部１４を挿通させるとともに、副反射部３ａを本体部分１１に対してアライメントした状態で保持している。
【００２２】
リフレクタ２は、発光管１の本体部分１１のうち、第１電極１５がある光束射出後方側の略半分に対向して配置されている。このリフレクタ２は、結晶化ガラスや石英ガラス製の一体成形品であり、発光管１の第１封止部１３が挿通される首状部２ａと、この首状部２ａから拡がる楕円曲面状の主反射部２ｂとを備える。首状部２ａは、第１封止部１３を挿通させるとともに、主反射部２ｂを本体部分１１に対してアライメントした状態で保持している。
【００２３】
発光管１は、主反射部２ｂの回転対称軸又は光軸に対応するシステム光軸ＯＡに沿って配置されるとともに、本体部分１１内の第１及び第２電極１５，１６間の発光中心Ｏが主反射部２ｂの楕円曲面の第１焦点Ｆ１位置と一致するように配置される。発光管１を点灯した場合、本体部分１１の発光中心Ｏ周辺のアークから放射された光束は、主反射部２ｂで反射され、或いは副反射部３ａでの反射を経て主反射部２ｂでさらに反射され、楕円曲面の第２焦点Ｆ２位置に収束する光束となる。つまり、リフレクタ２及び副鏡３は、システム光軸ＯＡに対して略軸対称な反射曲面を有し、一対の電極１５，１６は、その軸心である電極軸をシステム光軸ＯＡと略一致させるように配置されている。
【００２４】
発光管１は、例えば石英ガラス管中に金属箔１７ａ，１７ｂの先端に固定された第１及び第２電極１５，１６を支持し、両封止部１３，１４に対応する部分で石英ガラス管を周囲からバーナで加熱して軟化、収縮させるシリンクシールによって作製される。発光管１は、リフレクタ２の首状部２ａに第１封止部１３を挿入した状態で、無機接着剤Ｃを注入及び充填して固化することにより固定され、副鏡３は、発光管１の第２封止部１４に支持部３ｂを挿通させた状態で、無機接着剤Ｃを注入及び充填して固化することにより固定される。
【００２５】
図２は、図１に示す光源ユニット１０を所望の状態で点灯動作させるための駆動装置７０の構成を模式的に示すブロック図である。
【００２６】
駆動装置７０は、図１等に示す一対の電極１５，１６間で放電を行うための交流電流を発生させるとともに、両電極１５，１６に対する交流電流の供給状態を制御する。駆動装置７０は、点灯装置７０ａと、制御装置７０ｂと、ＤＣ／ＤＣコンバータ７０ｃとを備える。ここでは、一例として、駆動装置７０が、外部電源を使用する場合について説明する。つまり、駆動装置７０は、ＡＣ／ＤＣコンバータ８１に接続されており、ＡＣ／ＤＣコンバータ８１は、商用電源９０に接続されている。ＡＣ／ＤＣコンバータ８１は、商用電源９０から供給される交流電流を直流に変換する。
【００２７】
点灯装置７０ａは、図１の光源ユニット１０を点灯駆動させる回路部分である。点灯装置７０ａにより、駆動装置７０から出力される駆動波形が調整される。ここで、駆動波形は、出力電流又は電圧の周波数、振幅、デューティ比、正負の振幅比、波形特性等を要素とするものであり、点灯装置７０ａから光源ユニット１０に対して、例えば（１）矩形波、（２）かかる矩形波に三角波等を重畳した重畳波等の、各種波形特性を有する駆動電流が出力される。
【００２８】
制御装置７０ｂは、例えば、マイクロコンピュータ、メモリ、センサ、インターフェース等から構成される回路ユニットであり、電源であるＤＣ／ＤＣコンバータ７０ｃにて生成された適切な駆動電圧により駆動される。制御装置７０ｂは、点灯装置７０ａの動作状態を制御する駆動制御部７４と、発光管１の状態を判断する判断部７５と、点灯装置７０ａの動作態様すなわち給電条件等の各種情報を記憶するデータ収納部７６とを備える。また、制御装置７０ｂは、発光管１の発光のチラツキ等を検出するための光センサ７７ｂと、発光管１の累積点灯時間を計測するためのタイマ７７ａと、発光管１への印加電圧を検出する電圧センサ７８とを備える。
【００２９】
駆動制御部７４は、データ収納部７６等に保管されたプログラムに従って動作する部分である。駆動制御部７４は、通常動作において、データ収納部７６に保管された初期動作用給電条件及び定常動作用給電条件から発光管１の現状に適合するものを選択するとともに、選択された給電条件に従った初期動作や定常動作を点灯装置７０ａに行わせる。なお、駆動制御部７４は、点灯装置７０ａと協働して、発光管１に給電して必要な点灯動作を行わせるための電流駆動回路として機能する。本実施形態において、第１電極１５及び第２電極１６に定常的エネルギーを供給する動作を定常動作とし、定常動作を行う前に定常動作とは異なる動作で第１電極１５及び第２電極１６にエネルギーを供給する動作を初期動作とする。
【００３０】
判断部７５は、後述する光センサ７７ｂの出力と、タイマ７７ａの出力と、電圧センサ７８の出力とを監視しており、（１）発光管１にフリッカ等が発生している電極異常時か否かと、（２）発光管１の累積点灯時間がどのレベルにあるかと、（３）発光管１への印加電圧がどのレベルにあるかとを判断する部分である。なお、発光管１におけるフリッカ等の発生は、一対の電極１５，１６の少なくとも一方の先端側に不規則な凹凸が形成されていることを意味し、両電極１５，１６のうちフリッカ等の発生時に陰極となっている方の電極に凹凸が形成されていると判断される。また、定常動作において、発光管１への印加電圧の上昇は、一対の電極１５，１６間の距離の増加すなわち電極１５，１６の損耗や劣化を意味する。
【００３１】
データ収納部７６は、駆動制御部７４の動作用プログラム等のほか、発光管１の初期動作の態様として複数の初期用給電条件を記憶し、発光管１の定常動作の態様として複数の定常用給電条件を記憶する。後者の定常用給電条件には、２以上の定常駆動用給電条件が含まれている。具体的には、データ収納部７６は、定常動作における定格駆動や補修駆動での電流値、周波数、重畳する三角波の傾斜部の勾配等を記憶する。
【００３２】
タイマ７７ａは、発光管１の点灯時間をチェックしており、毎回の点灯時間を累積した累積点灯時間を保持する。光センサ７７ｂは、発光管１から射出される光源光の強度変動を検出する。電圧センサ７８は、点灯装置７０ａを介して発光管１の第１及び第２電極１５，１６間にかかっている電圧を検出する。
【００３３】
図３は、発光管１内に封入された第１及び第２電極１５，１６の先端部分の拡大図である。第１及び第２電極１５，１６は、先端部１５ａ，１６ａと、本体部１５ｂ，１６ｂと、コイル部１５ｃ，１６ｃと、芯棒１５ｄ，１６ｄとをそれぞれ備える。第１及び第２電極１５，１６の先端側に塊状の本体部１５ｂ，１６ｂを設けることで、熱容量を大きくすることができる。なお、第１及び第２電極１５，１６の先端部分は、例えば封入前の段階で、芯棒１５ｄ，１６ｄにタングステンを巻き付け、これを加熱・溶融することにより形成される。この際、巻き付けられたタングステンのうち溶融されなかった残りの部分がコイル部１５ｃ，１６ｃとなる。
【００３４】
図４（Ａ）〜４（Ｃ）は、両電極１５，１６のうち第１電極１５に対する補修駆動時の第１電極１５への作用を説明する概念図である。
【００３５】
図４（Ａ）に示す第１電極１５の場合、先端部１５ａが台形に近い形状に多少変形しており、先端部１５ａ先端側の表面に、使用の継続によって複数の微小な凹凸６３も形成されている。この場合、先端部１５ａと凹凸６３との間で放電起点が移動する現象、つまりフリッカやアークジャンプが発生する。ここで、フリッカは放電の起点の移動が連続的に起こるものであり、アークジャンプは、当初の放電起点位置から放電起点が完全に移動するものである。フリッカやアークジャンプは、画面のちらつきや照度低下を発生させる。
【００３６】
上記のようなフリッカやアークジャンプを事後に又は事前に防止するため、発光管１の定常動作において、少なくとも第１電極１５に対して補修駆動を行なう。図４（Ｂ）に示すように、第１電極１５に対して補修駆動を行うことにより、第１電極１５の先端側の温度が上昇し、図４（Ａ）の凹凸６３が溶かされて溶融部６４が形成される。ここで行われる補修駆動は、先端部１５ａや先端側領域１５ｇの適度な温度上昇を確保することができる。これにより、先端部１５ａを略残したままで溶融部６４を形成することができ、凹凸６３を平滑化することができる。なお、詳細は省略するが、第１電極１５に対向する第２電極１６の先端部１６ａの表面も溶融しているが、この場合、第２電極１６に対しては補修駆動が行なわれておらず通常の定格駆動の通電動作が行われており、溶融部の体積が少なく形状が変化しない程度になっている。
【００３７】
図５は、図４（Ｂ）に示す補修駆動で用いられる駆動波形すなわち補修波形を説明する図である。図５において、横軸は時間を示し、縦軸は電流値を示す。この場合、補修波形ＭＷの周波数は、通常の定格駆動の駆動波形と一致する。ただし、補修波形ＭＷは、矩形波に対しその半周期ＨＰ１の中央で最大値となる三角波を重畳し、この中央ピークの三角波の振幅を例えば元の矩形波の２５％としたものとなっている。ここで、補修波形ＭＷは、第１電極１５が陽極である前側の半周期ＨＰ１の期間内において、電流値が開始値ａ−ｂから徐々に上昇する上昇部ＷＰ１と、上昇部ＷＰ１の後において電流値が最大値ａ＋ｂとなる最大部ＷＰ２と、最大部ＷＰ２の後において電流値が最終値ａ−ｂに降下する降下部ＷＰ３とを有している。一方、補修波形ＭＷは、第２電極１６が陽極である後側の半周期ＨＰ２の期間内において、その電流値が通常の定格駆動の電流値ａのままに維持されたものとなっている。このような駆動波形により、第１電極１５が陽極の際に、第１電極１５に供給される電流が比較的緩やかに増加し減少することになる。この結果、第１電極１５の本体部１５ｂは、電流上昇時には適度に加熱され、第２電極１６の本体部１６ｂよりも相対的に温度上昇するとともに、通常の定格駆動時よりも相対的に温度上昇し、フリッカ等の原因となる凹凸６３の発生を抑制しつつ、電流降下時には温度降下することによって、先端部１５ａが過度に成長する事を防止する事ができる。
【００３８】
以上のような補修駆動による動作の後は、通常の定格駆動に復帰する。通常の定格駆動では、両電極１５，１６に対して矩形波の駆動電流が供給され、第１電極１５が相対的に冷却され、図４（Ｃ）に示すように、先端部１５ａの形状が先細りに保持される。
【００３９】
なお、以上の説明は、第１電極１５についてのものであったが、第２電極１６についても、経時的に同様の凹凸６３が形成されるので、上記と同様の補修駆動で通電動作させることによって凹凸６３を平滑化することができる。この際、先端部１６ａの周囲の先端側領域１６ｇに形成された凹凸６３も平滑化することができる。なお、第２電極１６の補修駆動に用いられる補修波形は、図５に示す補修波形を正負反転させたものとなる。
【００４０】
以上の説明は、第１電極１５や第２電極１６において単独でフリッカ等が発生する場合の説明であったが、第１及び第２電極１５，１６で同時にフリッカ等が発生する場合もある。この場合、両電極１５，１６に対して並行して補修駆動を実行することで、両電極１５，１６の先端部１５ａ，１６ａに形成された凹凸を同時に平滑化することができる。
【００４１】
図６は、駆動装置７０の動作を説明するフローチャートである。電源投入後の点灯開始前、制御装置７０ｂは、データ収納部７６に保管された情報から発光管１の点灯開始に適する初期動作用給電条件を読み出し、発光管１の駆動状態を制御する（ステップＳ１０）。これにより、発光管１に設けた両電極１５，１６間で放電を開始させる始動と、定電流で電力を定格値まで増加させる立ち上げとを含む初期駆動を実行することができ、発光管１を本格的に発光させることができる。
【００４２】
次に、制御装置７０ｂは、データ収納部７６に保管された情報から発光管１の安定動作に適する定常動作用給電条件を読み出し、発光管１の駆動状態を制御する（ステップＳ１１）。これにより、発光管１に設けた両電極１５，１６間でアーク放電を維持することができる。この際、両電極１５，１６間には、定格駆動の駆動波形、具体的には矩形波の電流波形が供給される。なお、上記のような定格駆動は、例えば、ステップＳ１０の初期駆動の最終段階、すなわち初期駆動によって電力が目標の定格値に達した時点でタイミングを合わせてスタートさせることができる。
【００４３】
次に、制御装置７０ｂは、判断部７５の出力を読み出すことにより、発光管１の発光状態に関連するデータをチェックする（ステップＳ１２）。
【００４４】
次に、制御装置７０ｂは、判断部７５から出力されたデータのうち光センサ７７ｂの出力に関連する情報に基づいて、両電極１５，１６間でフリッカが発生しているか否かすなわち電極異常が発止しているか否かを判断する（ステップＳ１３）。
【００４５】
フリッカが発生している場合、制御装置７０ｂは、判断部７５から出力されたデータに基づいて発光管１の劣化が進行しているか否かを判断する（ステップＳ１４）。具体的には、判断部７５の出力のうちタイマ７７ａの出力に関連する情報に基づいて、発光管１の累積点灯時間が一定以上に長くなって劣化が進行しているか否かを判断するとともに、電圧センサ７８の出力に関連する情報に基づいて、発光管１への印加電圧すなわち両電極１５，１６の電極間距離が一定以上に長くなって劣化が進行しているか否かを判断する。
【００４６】
発光管１の劣化が進行していない場合、制御装置７０ｂは、データ収納部７６に保管された情報から発光管１の補修駆動に適する給電条件を読み出し、発光管１の駆動状態を制御する（ステップＳ１５）。これにより、第１電極１５側でフリッカが発生している場合、図５に例示する補修波形の電流が両電極１５，１６間に供給され、図４（Ｂ）に示すように、第１電極１５の先端側の温度が相対的に上昇し、図４（Ａ）の凹凸６３が溶かされて溶融部６４が形成される。なお、第２電極１６側でフリッカが発生している場合、図５に例示する補修波形の正負反転した補修波形によって第２電極１６の先端側の温度を相対的に上昇させることができる。
【００４７】
一方、発光管１の劣化が進行している場合、制御装置７０ｂは、データ収納部７６に保管された情報から発光管１の再生駆動に適する給電条件を読み出し、発光管１の駆動状態を制御する（ステップＳ１６）。この再生駆動は、例えば矩形波にパルス波、三角波等を重畳した重畳波とすることができ、図５に例示する補修波形に比較して両電極１５，１６の先端部１５ａ，１６ａの成長をより促進するものとする。
【００４８】
その後、ステップＳ１３でフリッカが発生していないと判断された場合を含めて、制御装置７０ｂは、判断部７５の出力に基づいて、光源ユニット１０の点灯動作の終了を要求する割込要求信号が入力されたか否かを判断する（ステップＳ１７）。このような割込要求信号の入力があった場合、現在の累積点灯時間、現在の発光管１に供給されている電圧等、現在の発光管１の状態を示す情報をデータ収納部７６に記録し、消灯動作に移行させる。
【００４９】
なお、以上の説明では、発光管１の劣化が進行している場合、制御装置７０ｂがステップＳ１６で発光管１に対して再生駆動を行うものとしたが、このような再生駆動は、必須でなく省略することもできる。
【００５０】
図７（Ａ）は、駆動装置７０の動作波形の一例を示すグラフであり、図７（Ｂ）は、光センサ７７ｂの出力を示すグラフであり、図７（Ｃ）は、補修駆動の動作タイミングを示すグラフである。ここで、横軸は時間を示し、縦軸はそれぞれ供給電流値、フリッカ検出出力、及び補修駆動のオン・オフを示す。
【００５１】
図７（Ａ）に示すように、両電極１５、１６への供給エネルギーに対応する電流値は、通常の定格駆動時において、第１電極１５の陽極期間中および陰極期間中において、ともに値ａに保たれている。図７（Ｂ）に示すように、光センサ７７ｂの出力は、劣化した第１電極１５が陰極のときにノイズ状の信号として検出される。すなわち、第１電極１５の先端部１５ａの表面が荒らされて、表面に微小な凹凸６３が形成されると、アークにフリッカを生じ、フリッカ検出出力が生じる。なお、図７（Ｂ）では、第１電極１５側でフリッカが生じる場合について説明しているが、第２電極１６側でフリッカが生じる場合もあり、この場合、電流値がプラス時すなわち第２電極１６が陰極のときにノイズ状の信号が検出される。図７（Ｃ）に示すように、制御装置７０ｂの駆動制御部７４は、光センサ７７ｂの出力を処理する判断部７５を介して信号を受け取って、点灯装置７０ａに対して補修駆動を実行させるための補修モード信号を出力する。この補修モード信号は、光センサ７７ｂのフリッカ検出出力がオンである期間中維持される。なお、補修モード信号の終端は、光センサ７７ｂのフリッカ検出出力に連動しないものとすることができる。例えば、光センサ７７ｂのフリッカ検出の開始後、両電極１５、１６に所定サイクルの交流が供給される期間中、フリッカ検出の有無にかかわらず補修モード信号をオンに維持することができる。つまり、補修駆動を実行するための駆動波形ＭＷ（図５参照）の供給期間は、１周期以上の適当な期間に設定することができる。
【００５２】
以上の説明から明らかなように、本実施形態の駆動装置７０によれば、点灯装置７０ａ及び制御装置７０ｂが、少なくとも一方の第１電極１５が陽極として動作する期間内において、補修波形ＭＷの電流を例えば間欠的に供給する。ここで、補修波形ＭＷは、上昇部ＷＰ１と、最大部ＷＰ２と、降下部ＷＰ３とを時系列的に並べたものであり、一方の第１電極１５が陽極の際に、電流上昇時には適度に温度上昇し、フリッカ等の原因となる凹凸６３の発生を抑制しつつ、電流降下時には温度降下することによって、先端部１５ａが過度に成長する事を防止する事ができる。
【００５３】
図８は、図１の光源装置１００を組み込んだプロジェクタの構造を説明するための概念図である。プロジェクタ２００は、光源装置１００と、照明光学系２０と、色分離光学系３０と、光変調部４０と、クロスダイクロイックプリズム５０と、投射レンズ６０とを備える。ここで、光変調部４０は、同様の構造を有する３つの液晶ライトバルブ４０ａ，４０ｂ，４０ｃを含む。
【００５４】
上記プロジェクタ２００において、光源装置１００は、図１に示した光源ユニット１０と、駆動装置７０とを備え、照明光学系２０等を介して光変調部４０すなわち液晶ライトバルブ４０ａ，４０ｂ，４０ｃを照明するための照明光を発生する。
【００５５】
照明光学系２０は、光源光の光束方向を平行化する平行化レンズ２２と、光を分割して重畳するためのインテグレータ光学系を構成する第１及び第２フライアイレンズ２３ａ，２３ｂと、光の偏光方向を揃える偏光変換素子２４と、両フライアイレンズ２３ａ，２３ｂを経た光を重畳させる重畳レンズ２５と、光の光路を折り曲げるミラー２６とを備え、これらにより均一化された略白色の照明光を形成する。照明光学系２０において、平行化レンズ２２は、光源ユニット１０から射出された照明光の光束方向を略平行に変換する。第１及び第２フライアイレンズ２３ａ，２３ｂは、それぞれマトリクス状に配置された複数の要素レンズからなり、第１フライアイレンズ２３ａを構成する要素レンズによって平行化レンズ２２を経た光を分割して個別に集光し、第２フライアイレンズ２３ｂを構成する要素レンズによって第１フライアイレンズ２３ａからの分割光束を適当な発散角にして射出させる。偏光変換素子２４は、ＰＢＳ、ミラー、位相差板等を一組の要素とするアレイで形成されており、第１フライアイレンズ２３ａにより分割された各部分光束の偏光方向を一方向の直線偏光に揃える役割を有する。重畳レンズ２５は、偏光変換素子２４を経た照明光を全体として適宜収束させて、後段の各色の光変調装置である液晶ライトバルブ４０ａ，４０ｂ，４０ｃの被照明領域に対する重畳照明を可能にする。つまり、両フライアイレンズ２３ａ，２３ｂと重畳レンズ２５とを経た照明光は、以下に詳述する色分離光学系３０を経て、光変調部４０に設けられた各色の液晶パネル４１ａ，４１ｂ，４１ｃを均一に重畳照明する。
【００５６】
色分離光学系３０は、第１及び第２ダイクロイックミラー３１ａ，３１ｂと、反射ミラー３２ａ，３２ｂ，３２ｃと、３つのフィールドレンズ３３ａ，３３ｂ，３３ｃとを備え、照明光学系２０を経て均一化された照明光を赤（Ｒ）、緑（Ｇ）、及び青（Ｂ）の３色に分離するとともに、各色光を後段の液晶ライトバルブ４０ａ，４０ｂ，４０ｃへ導く。より詳しく説明すると、まず、第１ダイクロイックミラー３１ａは、ＲＧＢの３色のうちＲ光を透過させＧ光及びＢ光を反射する。また、第２ダイクロイックミラー３１ｂは、ＧＢの２色のうちＧ光を反射しＢ光を透過させる。次に、この色分離光学系３０において、第１ダイクロイックミラー３１ａを透過したＲ光は、反射ミラー３２ａを経て入射角度を調節するためのフィールドレンズ３３ａに入射する。また、第１ダイクロイックミラー３１ａで反射され、さらに、第２ダイクロイックミラー３１ｂでも反射されたＧ光は、入射角度を調節するためのフィールドレンズ３３ｂに入射する。さらに、第２ダイクロイックミラー３１ｂを通過したＢ光は、リレーレンズＬＬ１，ＬＬ２及び反射ミラー３２ｂ，３２ｃを経て入射角度を調節するためのフィールドレンズ３３ｃに入射する。
【００５７】
光変調部４０を構成する各液晶ライトバルブ４０ａ，４０ｂ，４０ｃは、入射した照明光の空間的強度分布を変調する非発光型の光変調装置である。液晶ライトバルブ４０ａ，４０ｂ，４０ｃは、色分離光学系３０から射出された各色光に対応してそれぞれ照明される３つの液晶パネル４１ａ，４１ｂ，４１ｃと、各液晶パネル４１ａ，４１ｂ，４１ｃの入射側にそれぞれ配置される３つの第１偏光フィルタ４２ａ，４２ｂ，４２ｃと、各液晶パネル４１ａ，４１ｂ，４１ｃの射出側にそれぞれ配置される３つの第２偏光フィルタ４３ａ，４３ｂ，４３ｃとを備える。第１ダイクロイックミラー３１ａを透過したＲ光は、フィールドレンズ３３ａ等を介して液晶ライトバルブ４０ａに入射し、液晶ライトバルブ４０ａの液晶パネル４１ａを照明する。第１及び第２ダイクロイックミラー３１ａ，３１ｂの双方で反射されたＧ光は、フィールドレンズ３３ｂ等を介して液晶ライトバルブ４０ｂに入射し、液晶ライトバルブ４０ｂの液晶パネル４１ｂを照明する。第１ダイクロイックミラー３１ａで反射され、第２ダイクロイックミラー３１ｂを透過したＢ光は、フィールドレンズ３３ｃ等を介して液晶ライトバルブ４０ｃに入射し、液晶ライトバルブ４０ｃの液晶パネル４１ｃを照明する。各液晶パネル４１ａ〜４１ｃは、入射した照明光の偏光方向の空間的強度分布を変調し、各液晶パネル４１ａ〜４１ｃにそれぞれ入射した３色の光は、各液晶パネル４１ａ〜４１ｃに電気的信号として入力された駆動信号或いは画像信号に応じて、画素単位で偏光状態を調節される。この際、第１偏光フィルタ４２ａ〜４２ｃによって、各液晶パネル４１ａ〜４１ｃに入射する照明光の偏光方向が調整されるとともに、第２偏光フィルタ４３ａ〜４３ｃによって、各液晶パネル４１ａ〜４１ｃから射出される変調光から所定の偏光方向の変調光が取り出される。以上により、各液晶ライトバルブ４０ａ，４０ｂ，４０ｃは、それぞれに対応する各色の像光を形成する。
【００５８】
クロスダイクロイックプリズム５０は、各液晶ライトバルブ４０ａ，４０ｂ，４０ｃからの各色の像光を合成する。より詳しく説明すると、クロスダイクロイックプリズム５０は、４つの直角プリズムを貼り合わせた平面視略正方形状をなし、直角プリズム同士を貼り合わせた界面には、Ｘ字状に交差する一対の誘電体多層膜５１ａ，５１ｂが形成されている。一方の第１誘電体多層膜５１ａは、Ｒ光を反射し、他方の第２誘電体多層膜５１ｂは、Ｂ光を反射する。クロスダイクロイックプリズム５０は、液晶ライトバルブ４０ａからのＲ光を誘電体多層膜５１ａで反射して進行方向右側に射出させ、液晶ライトバルブ４０ｂからのＧ光を誘電体多層膜５１ａ，５１ｂを介して直進・射出させ、液晶ライトバルブ４０ｃからのＢ光を誘電体多層膜５１ｂで反射して進行方向左側に射出させる。このようにして、クロスダイクロイックプリズム５０によりＲ光、Ｇ光及びＢ光が合成され、カラー画像による画像光である合成光が形成される。
【００５９】
投射レンズ６０は、投射光学系であり、クロスダイクロイックプリズム５０を経て形成された合成光による画像光を所望の拡大率で拡大してスクリーン（不図示）上にカラーの画像を投射する。
【００６０】
以上のプロジェクタ２００によれば、上述の駆動装置７０を有する光源装置１００を用いているので、光源装置１００を構成する電極１５，１６いずれか一方において、先端部１５ａ，１６ｂやその周辺に凹凸６３が過度に成長することを防止してフリッカ等の発生を抑制できる。これにより、プロジェクタ２００の投射輝度を保持することができる。
【００６１】
〔第２実施形態〕
以下、第２実施形態の駆動装置等について説明する。なお、第２実施形態の駆動装置等は、第１実施形態の駆動装置７０等を変形したものであり、特に説明しない部分は第１実施形態の駆動装置７０等と同様であるものとする。
【００６２】
図９（Ａ）は、一対の電極１５，１６に供給する駆動波形すなわち補修波形を説明する図である。この場合、補修波形ＭＷ２は、矩形波に対しその半周期ＨＰ１の中央及びその周辺で最大値となる台形波を重畳している。ここで、補修波形ＭＷ２は、第１電極１５が陽極である前側の半周期ＨＰ１の期間内において、電流値が開始値ａ−ｃ２から徐々に上昇する上昇部ＷＰ１と、上昇部ＷＰ１の後において電流値が最大値ａ＋ｂ２に維持される最大部ＷＰ２と、最大部ＷＰ２の後において電流値が最終値ａ−ｃ２に降下する降下部ＷＰ３とを有している。一方、この補修波形ＭＷ２は、第２電極１６が陽極である後側の半周期ＨＰ２の期間内において、その電流値が通常の定格駆動の電流値ａのままに維持されたものとなっている。このような駆動波形によっても、第１電極１５が陽極の際に、電流上昇時には適度に温度上昇し、フリッカ等の原因となる凹凸６３の発生を抑制しつつ、電流降下時には温度降下することによって、先端部１５ａが過度に成長する事を防止する事ができる。
【００６３】
図９（Ｂ）は、図９（Ａ）に示す補修波形の変形例を説明する図である。この場合、補修波形ＭＷ３は、矩形波に対しその半周期ＨＰ１の後半で最大値となる三角波を重畳している。ここで、補修波形ＭＷ３は、第１電極１５が陽極である前側の半周期ＨＰ１の期間内において、電流値が開始値ａ−ｂ３から徐々に上昇する上昇部ＷＰ１と、上昇部ＷＰ１の後において電流値が最大値ａ＋ｂ３となる最大部ＷＰ２と、最大部ＷＰ２の後において電流値が最終値ａ−ｂ３に降下する降下部ＷＰ３とを有している。一方、この補修波形ＭＷ３は、第２電極１６が陽極である後側の半周期ＨＰ２の期間内において、その電流値が通常の定格駆動の電流値ａのままに維持されたものとなっている。このような駆動波形によっても、第１電極１５が陽極の際に、電流上昇時には適度に温度上昇し、フリッカ等の原因となる凹凸６３の発生を抑制しつつ、電流降下時には温度降下することによって、先端部１５ａが過度に成長する事を防止する事ができる。
【００６４】
図９（Ｃ）は、図９（Ａ）に示す補修波形の変形例を説明する図である。この場合、補修波形ＭＷ４は、矩形波に対しその半周期ＨＰ１の前半で最大値となる三角波を重畳している。ここで、補修波形ＭＷ４は、第１電極１５が陽極である前側の半周期ＨＰ１の期間内において、電流値が開始値ａ−ｂ４から徐々に上昇する上昇部ＷＰ１と、上昇部ＷＰ１の後において電流値が最大値ａ＋ｂ４となる最大部ＷＰ２と、最大部ＷＰ２の後において電流値が最終値ａ−ｂ４に降下する降下部ＷＰ３とを有している。一方、この補修波形ＭＷ４は、第２電極１６が陽極である後側の半周期ＨＰ２の期間内において、その電流値が通常の定格駆動の電流値ａのままに維持されたものとなっている。このような駆動波形によっても、第１電極１５が陽極の際に、電流上昇時には適度に温度上昇し、フリッカ等の原因となる凹凸６３の発生を抑制しつつ、電流降下時には温度降下することによって、先端部１５ａが過度に成長する事を防止する事ができる。
【００６５】
なお、以上の説明は、第１電極１５を補修する場合についてのものであったが、第２電極１６についても、経時的に同様の凹凸が形成されるので、上記と同様の補修駆動で通電動作させることによって凹凸を平滑化することができる。この際、第２電極１６の補修駆動に用いられる補修波形は、図９（Ａ）〜９（Ｃ）に示す補修波形を正負反転させたものとなる。
【００６６】
また、上記の補修波形ＭＷ２〜ＭＷ４は、単なる例示であり、矩形波に台形波や三角波を重畳したものに限らず、様々な波形とすることができる。例えば補修波形ＭＷ２において、昇部ＷＰ１における最小値ａ−ｃ２と、降下部ＷＰ３における最小値ａ−ｃ２とを一致させる必要はなく、第２電極１６の本体部１６ｂの温度調整量を考慮して、両者に適当な差を設けることができる。
【００６７】
また、上記の補修波形ＭＷ２〜ＭＷ４では、昇部ＷＰ１や降下部ＷＰ３が一定の勾配を有しているが、昇部ＷＰ１や降下部ＷＰ３の勾配が経時的に変化するものとすることもできる。
【００６８】
〔第３実施形態〕
以下、第３実施形態の駆動装置等について説明する。なお、第３実施形態の駆動装置等は、第１実施形態の駆動装置７０等を変形したものであり、特に説明しない部分は第１実施形態の駆動装置７０等と同様であるものとする。
【００６９】
図１０は、本実施形態の駆動装置７０の動作を説明するフローチャートである。この場合、制御装置７０ｂは、フリッカの発生の有無ではなく、判断部７５の出力のうちタイマ７７ａの出力に関連する情報に基づいて、両電極１５，１６の補修が必要なタイミングか否かを判断する（ステップＳ２３）。ここで、発光管１の累積点灯時間が一定のタイミングに達している場合、電圧センサ７８の検出結果に関連して発光管１の劣化が進行していなければ（ステップＳ１４）、制御装置７０ｂは、データ収納部７６に保管された情報から発光管１の補修駆動に適する給電条件を読み出し、発光管１の駆動状態を制御する（ステップＳ１５）。これにより、図５に例示する補修波形の電流が両電極１５，１６間に供給され、図４（Ｂ）に示すように、第１電極１５の先端側の温度が相対的に上昇し、図４（Ａ）の凹凸６３が溶かされて溶融部６４が形成される。以上のステップＳ１５は、ステップＳ２３での判断に基づいて例えば定期的に行われるので、この場合、補修駆動が定期的に実行されることになる。なお、判断部７５において、補修が必要なタイミングか否かは、一定の幅を有する期間すなわち時間帯に対応して設定されており、一旦補修駆動が行われた場合、同じ時間帯内での補修駆動が防止される。
【００７０】
〔第４実施形態〕
以下、第４実施形態の駆動装置等について説明する。なお、第４実施形態の駆動装置等は、第１実施形態の駆動装置７０等を変形したものであり、特に説明しない部分は第１実施形態の駆動装置７０等と同様であるものとする。
【００７１】
図１１は、本実施形態の駆動装置７０の動作を説明するフローチャートである。この場合、初期駆動（ステップＳ１０）の後、制御装置７０ｂは、判断部７５の出力を読み出すことにより、発光管１の発光状態をチェックする（ステップＳ１２）。次に、制御装置７０ｂは、フリッカの発生の有無ではなく、判断部７５の出力のうちタイマ７７ａの出力に関連する情報に基づいて、両電極１５，１６の補修が必要なタイミングか否かを判断する（ステップＳ３３）。ここで、発光管１の累積点灯時間が一定のタイミングに達している場合、電圧センサ７８の検出結果に関連して発光管１の劣化が進行していなければ（ステップＳ１４）、制御装置７０ｂは、データ収納部７６に保管された情報から発光管１の補修駆動に適する給電条件を読み出し、発光管１の駆動状態を制御する（ステップＳ１５）。これにより、図５に例示する補修波形の電流が両電極１５，１６間に供給され、図４（Ｂ）に示すように、第１電極１５の先端側の温度が相対的に上昇し、図４（Ａ）の凹凸６３が溶かされて溶融部６４が形成される。その後、制御装置７０ｂは、データ収納部７６に保管された情報から発光管１の安定動作に適する定常動作用給電条件を読み出し、発光管１の駆動状態を制御する（ステップＳ３１）。この際、両電極１５，１６間には、定格駆動の駆動波形、具体的には矩形波の電流波形が供給される。なお、発光管１の劣化が進行している場合、制御装置７０ｂは、データ収納部７６に保管された情報から発光管１の再生駆動に適する給電条件を読み出し、発光管１の駆動状態を制御する（ステップＳ１６）。
【００７２】
上記の定格駆動に付随して、制御装置７０ｂは、判断部７５の出力に基づいて、光源ユニット１０の点灯動作の終了を要求する割込要求信号が入力されたか否かを判断する（ステップＳ１７）。このような割込要求信号の入力があった場合、制御装置７０ｂは、判断部７５の出力を読み出すことにより、発光管１の発光状態に関連するデータをチェックする（ステップＳ４２）。次に、制御装置７０ｂは、判断部７５の出力のうちタイマ７７ａの出力に関連する情報に基づいて、両電極１５，１６の補修が必要なタイミングか否かを判断する（ステップＳ４３）。ここで、発光管１の累積点灯時間が一定のタイミングに達している場合、電圧センサ７８の検出結果に関連して発光管１の劣化が進行していなければ（ステップＳ４４）、制御装置７０ｂは、データ収納部７６に保管された情報から発光管１の補修駆動に適する給電条件を読み出し、発光管１の駆動状態を制御する（ステップＳ４５）。これにより、図５に例示する補修波形の電流が両電極１５，１６間に供給され、図４（Ｂ）に示すように、第１電極１５の先端側の温度が相対的に上昇し、図４（Ａ）の凹凸６３が溶かされて溶融部６４が形成される。なお、発光管１の劣化が進行している場合、制御装置７０ｂは、データ収納部７６に保管された情報から発光管１の再生駆動に適する給電条件を読み出し、発光管１の駆動状態を制御する（ステップＳ４６）。
【００７３】
以上の第４実施形態では、発光管１の発光の開始時及び終了時に第１電極１５，１６の先端側を平滑化できるので、通常の定常動作すなわち画像の投射の妨げになりにくい状態でフリッカの発生を防止できる。
【００７４】
なお、第４実施形態では、発光の開始時と終了時とで補修駆動を行うことになるが、発光の開始時と終了時とのいずれか一方にみで補修駆動を行うこともできる。
【００７５】
また、発光管１の劣化が進行しているか否かを判断するステップＳ１４，Ｓ４４は、必須のものでなく、発光管１の発光の開始時及び終了時に強制的に修復駆動を行うこともできる（ステップＳ１５，Ｓ４５）。
【００７６】
この発明は、上記の実施形態に限られるものではなく、その要旨を逸脱しない範囲において種々の態様において実施することが可能であり、例えば次のような変形も可能である。
【００７７】
例えば、上記実施形態の光源ユニット１０に用いるランプとしては、高圧水銀ランプやメタルハライドランプ等種々のものが考えられる。
【００７８】
また、上記実施形態のプロジェクタ２００では、光源装置１００からの光を複数の部分光束に分割するため、一対のフライアイレンズ２３ａ，２３ｂを用いていたが、この発明は、このようなフライアイレンズすなわちレンズアレイを用いないプロジェクタにも適用可能である。さらに、フライアイレンズ２３ａ，２３ｂをロッドインテグレータに置き換えることもできる。
【００７９】
また、上記プロジェクタ２００において、光源装置１００からの光を特定方向の偏光とする偏光変換素子２４を用いていたが、この発明は、このような偏光変換素子２４を用いないプロジェクタにも適用可能である。
【００８０】
また、上記実施形態では、透過型のプロジェクタに本発明を適用した場合の例について説明したが、本発明は、反射型プロジェクタにも適用することが可能である。ここで、「透過型」とは、液晶パネル等を含む液晶ライトバルブが光を透過するタイプであることを意味しており、「反射型」とは、液晶ライトバルブが光を反射するタイプであることを意味している。なお、光変調装置は液晶パネル等に限られず、例えばマイクロミラーを用いた光変調装置であってもよい。
【００８１】
また、プロジェクタとしては、投射面を観察する方向から画像投射を行う前面プロジェクタと、投射面を観察する方向とは反対側から画像投射を行う背面プロジェクタとがあるが、図８に示すプロジェクタの構成は、いずれにも適用可能である。
【００８２】
また、上記実施形態では、３つの液晶パネル４１ａ〜４１ｃを用いたプロジェクタ２００の例のみを挙げたが、本発明は、１つの液晶パネルのみを用いたプロジェクタ、２つの液晶パネルを用いたプロジェクタ、或いは、４つ以上の液晶パネルを用いたプロジェクタにも適用可能である。
【００８３】
また、上記実施形態では、色分離光学系３０や液晶ライトバルブ４０ａ，４０ｂ，４０ｃ等を用いて各色の光変調を行っているが、これらに代えて、例えば光源装置１００及び照明光学系２０によって照明されるカラーホイールと、マイクロミラーの画素によって構成されカラーホイールの透過光が照射されるデバイスとを組み合わせたものを用いることによって、カラーの光変調及び合成を行うこともできる。
【図面の簡単な説明】
【００８４】
【図１】第１実施形態の駆動装置を組み込んだ光源装置を説明する断面図である。
【図２】図１の光源装置に組み込まれた駆動装置の構成を示すブロック図である。
【図３】発光管内に封入された第１及び第２電極の先端部分の拡大図である。
【図４】（Ａ）〜（Ｃ）は、駆動装置による電極の補修を説明する拡大図である。
【図５】補修駆動で用いられる補修波形を説明する図である。
【図６】駆動装置の動作を説明するフローチャートである。
【図７】（Ａ）〜（Ｃ）は、駆動装置の具体的な動作波形を示すグラフである。
【図８】図１の光源装置を組み込んだプロジェクタを説明する図である。
【図９】（Ａ）〜（Ｃ）は、第２実施形態の光源装置の動作を説明する図である。
【図１０】第３実施形態の光源装置の動作を説明するフローチャートである。
【図１１】第４実施形態の光源装置の動作を説明するフローチャートである。
【符号の説明】
【００８５】
１…発光管、  ２…リフレクタ、  ３…副鏡、  １０…光源ユニット、  １１…本体部分、  １５…第１電極、  １５ａ，１６ａ…先端部、  １５ｂ，１６ｂ…本体部、  １６…第２電極、  ２０…照明光学系、  ２２…平行化レンズ、  ２３ａ，２３ｂ…フライアイレンズ、  ２４…偏光変換素子、  ２５…重畳レンズ、  ３０…色分離光学系、  ３１ａ，３１ｂ…ダイクロイックミラー、  ４０…光変調部、  ４０ａ，４０ｂ，４０ｃ…液晶ライトバルブ、  ４１ａ，４１ｂ，４１ｃ…液晶パネル、  ５０…クロスダイクロイックプリズム、  ６０…投射レンズ、  ６３…凹凸、  ６４…溶融部、  ７０…駆動装置、  ７０ａ…点灯装置、  ７０ｂ…制御装置、  ７４…駆動制御部、  ７５…判断部、  ７６…データ収納部、  ７７ａ…タイマ、  ７７ｂ…光センサ、  ７８…電圧センサ、  １００…光源装置、  ２００…プロジェクタ、  ＨＰ１…半周期、  ＨＰ２…半周期、  ＭＷ，ＭＷ２，ＭＷ３，ＭＷ４…補修波形、  ＷＰ１…上昇部、  ＷＰ２…最大部、  ＷＰ３…降下部、  ＯＡ…システム光軸
【図１】
2009146735.tif 000003
【図２】
2009146735.tif 000004
【図３】
2009146735.tif 000005
【図４】
2009146735.tif 000006
【図５】
2009146735.tif 000007
【図６】
2009146735.tif 000008
【図７】
2009146735.tif 000009
【図８】
2009146735.tif 000010
【図９】
2009146735.tif 000011
【図１０】
2009146735.tif 000012
【図１１】
2009146735.tif 000013